(57)【要約】【課題】  医療機関検索サービスを提供するコンピュータシステムを提供する。【解決手段】  コンピュータシステム１は、端末装置４０とネットワーク３０を介して接続されたサーバー装置１０と、サーバー装置１０に接続され、各医療機関が診療可能な症状を示す情報を少なくとも格納した医療機関データベース１２とを備えている。サーバー装置１０は、ユーザの症状を示す症状情報を前記端末装置から受信する手段と、前記症状情報を検索条件として前記医療機関データベースを検索することにより、前記検索条件を満たす少なくとも１つの医療機関に関する情報を取得する手段と、前記検索条件を満たす少なくとも１つの医療機関に関する情報を前記端末装置に送信する手段とを含む。【選択図】  図１
2005092650.tif 000002
【特許請求の範囲】
【請求項１】
端末装置とサーバー装置とを含むコンピュータシステムを用いて、医療機関検索サービスを提供する方法であって、
前記端末装置と前記サーバー装置とはネットワークを介して互いに接続されており、前記サーバー装置には、各医療機関が診療可能な症状を示す情報を少なくとも格納した医療機関データベースが接続されており、
前記方法は、
（ａ）前記サーバー装置が、ユーザの症状を示す症状情報を前記端末装置から受信するステップと、
（ｂ）前記サーバー装置が、前記症状情報を検索条件として前記医療機関データベースを検索することにより、前記検索条件を満たす少なくとも１つの医療機関に関する情報を取得するステップと、
（ｃ）前記サーバー装置が、前記検索条件を満たす少なくとも１つの医療機関に関する情報を前記端末装置に送信するステップと
を包含する、方法。
【請求項２】
前記端末装置は、前記端末装置の現在の位置を示す位置情報を取得する機能を有しており、前記医療機関データベースには、各医療機関が診療可能な症状を示す情報に加えて各医療機関の位置を示す情報がさらに格納されており、
前記ステップ（ａ）において、前記サーバー装置が、前記症状情報に加えて前記位置情報を前記端末装置から受信し、
前記ステップ（ｂ）において、前記サーバー装置が、前記症状情報と前記位置情報とを検索条件として前記医療機関データベースを検索することにより、前記検索条件を満たす少なくとも１つの医療機関に関する情報を取得する、請求項１に記載の方法。
【請求項３】
前記端末装置は、前記端末装置の現在の位置を示す位置情報を取得する機能と、現在の時刻を示す時刻情報を取得する機能とを有しており、前記医療機関データベースには、各医療機関が診療可能な症状を示す情報に加えて各医療機関の位置を示す情報と各医療機関の診療時間を示す情報とがさらに格納されており、
前記ステップ（ａ）において、前記サーバー装置が、前記症状情報に加えて前記位置情報と前記時刻情報とを前記端末装置から受信し、
前記ステップ（ｂ）において、前記サーバー装置が、前記症状情報と前記位置情報と前記時刻情報とを検索条件として前記医療機関データベースを検索することにより、前記検索条件を満たす少なくとも１つの医療機関に関する情報を取得する、請求項１に記載の方法。
【請求項４】
端末装置とサーバー装置とを含むコンピュータシステムを用いて、個人医療情報検索サービスを提供する方法であって、
前記端末装置と前記サーバー装置とはネットワークを介して互いに接続されており、前記サーバー装置には、個人認証データベースと、少なくとも１つの個人医療情報を格納した個人医療情報データベースとが接続されており、
前記方法は、
（ａ）前記サーバー装置が、ユーザを識別するための個人識別情報を前記端末装置から受信するステップと、
（ｂ）前記サーバー装置が、前記個人識別情報を検索条件として前記個人認証データベースを検索することにより、前記個人識別情報に対応する個人を特定する個人特定情報を取得するステップと、
（ｃ）前記サーバー装置が、前記個人特定情報を検索条件として前記個人医療情報データベースを検索することにより、前記個人特定情報に対応する個人医療情報を取得するステップと、
（ｄ）前記サーバー装置が、前記個人医療情報を前記端末装置に送信するステップと
を包含する、方法。
【請求項５】
前記個人医療情報は、電子カルテを含み、前記電子カルテは、前記ユーザが追記可能な領域を有している、請求項４に記載の方法。
【請求項６】
第１の端末装置と第２の端末装置と第１のサーバー装置と第２のサーバー装置とを含むコンピュータシステムを用いて、個人医療情報検索サービスを提供する方法であって、
前記第１の端末装置と前記第２の端末装置と前記第１のサーバー装置と前記第２のサーバー装置とはネットワークを介して互いに接続されており、前記第１のサーバー装置には、各医療機関が診療可能な症状を示す情報を少なくとも格納した医療機関データベースが接続されており、前記第２のサーバー装置には、個人認証データベースと、少なくとも１つの個人医療情報を格納した個人医療情報データベースとが接続されており、
前記方法は、
（ａ）前記第１のサーバー装置が、ユーザの症状を示す症状情報を前記第１の端末装置から受信するステップと、
（ｂ）前記第１のサーバー装置が、前記症状情報を検索条件として前記医療機関データベースを検索することにより、前記検索条件を満たす少なくとも１つの医療機関に関する情報を取得するステップと、
（ｃ）前記第１のサーバー装置が、前記検索条件を満たす少なくとも１つの医療機関に関する情報を前記第１の端末装置に送信するステップと、
（ｄ）前記第１のサーバー装置が、前記検索条件を満たす少なくとも１つの医療機関のうち前記ユーザによって選択された医療機関を特定する医療機関特定情報を前記第１の端末装置から受信するステップと
を包含し、
前記第２の端末装置は、前記医療機関特定情報によって特定された医療機関に設置されており、
前記方法は、
（ｅ）前記第１のサーバー装置が、前記第２の端末装置から前記第２のサーバー装置へのアクセスを可能にするアクセス情報を前記第２の端末装置に送信するステップと、
（ｆ）前記第２の端末装置が前記アクセス情報を用いて前記第２のサーバー装置にアクセスすることにより、前記第２のサーバー装置が、前記ユーザを識別するための個人識別情報を前記第２の端末装置から受信するステップと、
（ｇ）前記第２のサーバー装置が、前記個人識別情報を検索条件として前記個人認証データベースを検索することにより、前記個人識別情報に対応する個人を特定する個人特定情報を取得するステップと、
（ｈ）前記第２のサーバー装置が、前記個人特定情報を検索条件として前記個人医療情報データベースを検索することにより、前記個人特定情報に対応する個人医療情報を取得するステップと、
（ｉ）前記第２のサーバー装置が、前記個人医療情報を前記第２の端末装置に送信するステップと
をさらに包含する、方法。
【請求項７】
前記第１の端末装置は、前記第１の端末装置の現在の位置を示す位置情報を取得する機能を有しており、前記医療機関データベースには、各医療機関が診療可能な症状を示す情報に加えて各医療機関の位置を示す情報がさらに格納されており、
前記ステップ（ａ）において、前記第１のサーバー装置が、前記症状情報に加えて前記位置情報を前記第１の端末装置から受信し、
前記ステップ（ｂ）において、前記第１のサーバー装置が、前記症状情報と前記位置情報とを検索条件として前記医療機関データベースを検索することにより、前記検索条件を満たす少なくとも１つの医療機関に関する情報を取得する、請求項６に記載の方法。
【請求項８】
前記第１の端末装置は、前記第１の端末装置の現在の位置を示す位置情報を取得する機能と、現在の時刻を示す時刻情報を取得する機能とを有しており、前記医療機関データベースには、各医療機関が診療可能な症状を示す情報に加えて各医療機関の位置を示す情報と各医療機関の診療時間を示す情報とがさらに格納されており、
前記ステップ（ａ）において、前記第１のサーバー装置が、前記症状情報に加えて前記位置情報と前記時刻情報とを前記第１の端末装置から受信し、
前記ステップ（ｂ）において、前記第１のサーバー装置が、前記症状情報と前記位置情報と前記時刻情報とを検索条件として前記医療機関データベースを検索することにより、前記検索条件を満たす少なくとも１つの医療機関に関する情報を取得する、請求項６に記載の方法。
【請求項９】
前記個人医療情報は、電子カルテを含み、前記電子カルテは、前記ユーザが追記可能な領域を有している、請求項６に記載の方法。
【請求項１０】
医療機関検索サービスを提供するコンピュータシステムであって、
前記コンピュータシステムは、
端末装置とネットワークを介して接続されたサーバー装置と、
前記サーバー装置に接続され、各医療機関が診療可能な症状を示す情報を少なくとも格納した医療機関データベースと
を備え、
前記サーバー装置は、
ユーザの症状を示す症状情報を前記端末装置から受信する手段と、
前記症状情報を検索条件として前記医療機関データベースを検索することにより、前記検索条件を満たす少なくとも１つの医療機関に関する情報を取得する手段と、
前記検索条件を満たす少なくとも１つの医療機関に関する情報を前記端末装置に送信する手段と
を含む、コンピュータシステム。
【請求項１１】
個人医療情報検索サービスを提供するコンピュータシステムであって、
前記コンピュータシステムは、
端末装置とネットワークを介して接続されたサーバー装置と、
前記サーバー装置に接続された個人認証データベースと、
前記サーバー装置に接続され、少なくとも１つの個人医療情報を格納した個人医療情報データベースと
を備え、
前記サーバー装置は、
ユーザを識別するための個人識別情報を前記端末装置から受信する手段と、
前記個人識別情報を検索条件として前記個人認証データベースを検索することにより、前記個人識別情報に対応する個人を特定する個人特定情報を取得する手段と、
前記サーバー装置が、前記個人特定情報を検索条件として前記個人医療情報データベースを検索することにより、前記個人特定情報に対応する個人医療情報を取得する手段と、
前記個人医療情報を前記端末装置に送信する手段と
を含む、コンピュータシステム。
【請求項１２】
前記個人医療情報は、電子カルテを含み、前記電子カルテは、前記ユーザが追記可能な領域を有している、請求項１１に記載のコンピュータシステム。
【請求項１３】
個人医療情報検索サービスを提供するコンピュータシステムであって、
前記コンピュータシステムは、
第１の端末装置および第２の端末装置とネットワークを介して接続された第１のサーバー装置および第２のサーバー装置と、
前記第１のサーバー装置に接続され、各医療機関が診療可能な症状を示す情報を少なくとも格納した医療機関データベースと、
前記第２のサーバー装置に接続された個人認証データベースと、
前記第２のサーバー装置に接続され、少なくとも１つの個人医療情報を格納した個人医療情報データベースと
を備え、
前記第１のサーバー装置は、
ユーザの症状を示す症状情報を前記第１の端末装置から受信する手段と、
前記症状情報を検索条件として前記医療機関データベースを検索することにより、前記検索条件を満たす少なくとも１つの医療機関に関する情報を取得する手段と、
前記検索条件を満たす少なくとも１つの医療機関に関する情報を前記第１の端末装置に送信する手段と、
前記検索条件を満たす少なくとも１つの医療機関のうち前記ユーザによって選択された医療機関を特定する医療機関特定情報を前記第１の端末装置から受信するステップと
を含み、
前記第２の端末装置は、前記医療機関特定情報によって特定された医療機関に設置されており、
前記第１のサーバー装置は、
前記第２の端末装置から前記第２のサーバー装置へのアクセスを可能にするアクセス情報を前記第２の端末装置に送信する手段をさらに含み、
前記第２のサーバー装置は、
前記第２の端末装置が前記アクセス情報を用いて前記第２のサーバー装置にアクセスすることにより、前記ユーザを識別するための個人識別情報を前記第２の端末装置から受信する手段と、
前記個人識別情報を検索条件として前記個人認証データベースを検索することにより、前記個人識別情報に対応する個人を特定する個人特定情報を取得する手段と、
前記個人特定情報を検索条件として前記個人医療情報データベースを検索することにより、前記個人特定情報に対応する個人医療情報を取得する手段と、
前記個人医療情報を前記第２の端末装置に送信する手段と
を含む、コンピュータシステム。
【請求項１４】
前記個人医療情報は、電子カルテを含み、前記電子カルテは、前記ユーザが追記可能な領域を有している、請求項１３に記載のコンピュータシステム。
【発明の詳細な説明】
【技術分野】
【０００１】
本発明は、医療機関検索サービスを提供する方法、個人医療情報検索サービスを提供する方法およびコンピュータシステムに関する。
【背景技術】
【０００２】
従来、各個人の医療記録（カルテや胸部Ｘ線写真など）は、病院ごとに保管されていた。病院間の壁は厚く、個人の医療記録の共有化は進んでいないのが現状である。
【発明の開示】
【発明が解決しようとする課題】
【０００３】
医療用画像データ（胸部Ｘ線データ、ＣＴデータ、ＭＲデータなど）の大容量化に伴い、各病院でこれらの医療用の個人情報（個人医療情報）を保管することが困難になってきている。このため、法定の保管期限を超えた個人医療情報は、順次、廃棄処分にせざるをえない。これらの個人医療情報を永久的に保管するために、個人医療情報を管理する新しい仕組みが求められている。
【０００４】
本発明は、個人医療情報検索サービスを提供する方法およびその方法を実現するコンピュータシステムを提供することを目的とする。また、本発明は、医療機関検索サービスを提供する方法およびその方法を実現するコンピュータシステムを提供することを目的とする。
【課題を解決するための手段】
【０００５】
本発明の方法は、端末装置とサーバー装置とを含むコンピュータシステムを用いて、医療機関検索サービスを提供する方法であって、前記端末装置と前記サーバー装置とはネットワークを介して互いに接続されており、前記サーバー装置には、各医療機関が診療可能な症状を示す情報を少なくとも格納した医療機関データベースが接続されており、前記方法は、（ａ）前記サーバー装置が、ユーザの症状を示す症状情報を前記端末装置から受信するステップと、（ｂ）前記サーバー装置が、前記症状情報を検索条件として前記医療機関データベースを検索することにより、前記検索条件を満たす少なくとも１つの医療機関に関する情報を取得するステップと、（ｃ）前記サーバー装置が、前記検索条件を満たす少なくとも１つの医療機関に関する情報を前記端末装置に送信するステップとを包含し、そのことにより上記目的が達成される。
【０００６】
前記端末装置は、前記端末装置の現在の位置を示す位置情報を取得する機能を有しており、前記医療機関データベースには、各医療機関が診療可能な症状を示す情報に加えて各医療機関の位置を示す情報がさらに格納されており、前記ステップ（ａ）において、前記サーバー装置が、前記症状情報に加えて前記位置情報を前記端末装置から受信し、前記ステップ（ｂ）において、前記サーバー装置が、前記症状情報と前記位置情報とを検索条件として前記医療機関データベースを検索することにより、前記検索条件を満たす少なくとも１つの医療機関に関する情報を取得してもよい。
【０００７】
前記端末装置は、前記端末装置の現在の位置を示す位置情報を取得する機能と、現在の時刻を示す時刻情報を取得する機能とを有しており、前記医療機関データベースには、各医療機関が診療可能な症状を示す情報に加えて各医療機関の位置を示す情報と各医療機関の診療時間を示す情報とがさらに格納されており、前記ステップ（ａ）において、前記サーバー装置が、前記症状情報に加えて前記位置情報と前記時刻情報とを前記端末装置から受信し、前記ステップ（ｂ）において、前記サーバー装置が、前記症状情報と前記位置情報と前記時刻情報とを検索条件として前記医療機関データベースを検索することにより、前記検索条件を満たす少なくとも１つの医療機関に関する情報を取得してもよい。
【０００８】
本発明の他の方法は、端末装置とサーバー装置とを含むコンピュータシステムを用いて、個人医療情報検索サービスを提供する方法であって、前記端末装置と前記サーバー装置とはネットワークを介して互いに接続されており、前記サーバー装置には、個人認証データベースと、少なくとも１つの個人医療情報を格納した個人医療情報データベースとが接続されており、前記方法は、（ａ）前記サーバー装置が、ユーザを識別するための個人識別情報を前記端末装置から受信するステップと、（ｂ）前記サーバー装置が、前記個人識別情報を検索条件として前記個人認証データベースを検索することにより、前記個人識別情報に対応する個人を特定する個人特定情報を取得するステップと、（ｃ）前記サーバー装置が、前記個人特定情報を検索条件として前記個人医療情報データベースを検索することにより、前記個人特定情報に対応する個人医療情報を取得するステップと、（ｄ）前記サーバー装置が、前記個人医療情報を前記端末装置に送信するステップとを包含し、そのことにより上記目的が達成される。
【０００９】
前記個人医療情報は、電子カルテを含み、前記電子カルテは、前記ユーザが追記可能な領域を有していてもよい。
【００１０】
本発明の他の方法は、第１の端末装置と第２の端末装置と第１のサーバー装置と第２のサーバー装置とを含むコンピュータシステムを用いて、個人医療情報検索サービスを提供する方法であって、前記第１の端末装置と前記第２の端末装置と前記第１のサーバー装置と前記第２のサーバー装置とはネットワークを介して互いに接続されており、前記第１のサーバー装置には、各医療機関が診療可能な症状を示す情報を少なくとも格納した医療機関データベースが接続されており、前記第２のサーバー装置には、個人認証データベースと、少なくとも１つの個人医療情報を格納した個人医療情報データベースとが接続されており、前記方法は、（ａ）前記第１のサーバー装置が、ユーザの症状を示す症状情報を前記第１の端末装置から受信するステップと、（ｂ）前記第１のサーバー装置が、前記症状情報を検索条件として前記医療機関データベースを検索することにより、前記検索条件を満たす少なくとも１つの医療機関に関する情報を取得するステップと、（ｃ）前記第１のサーバー装置が、前記検索条件を満たす少なくとも１つの医療機関に関する情報を前記第１の端末装置に送信するステップと、（ｄ）前記第１のサーバー装置が、前記検索条件を満たす少なくとも１つの医療機関のうち前記ユーザによって選択された医療機関を特定する医療機関特定情報を前記第１の端末装置から受信するステップとを包含し、前記第２の端末装置は、前記医療機関特定情報によって特定された医療機関に設置されており、前記方法は、（ｅ）前記第１のサーバー装置が、前記第２の端末装置から前記第２のサーバー装置へのアクセスを可能にするアクセス情報を前記第２の端末装置に送信するステップと、（ｆ）前記第２の端末装置が前記アクセス情報を用いて前記第２のサーバー装置にアクセスすることにより、前記第２のサーバー装置が、前記ユーザを識別するための個人識別情報を前記第２の端末装置から受信するステップと、（ｇ）前記第２のサーバー装置が、前記個人識別情報を検索条件として前記個人認証データベースを検索することにより、前記個人識別情報に対応する個人を特定する個人特定情報を取得するステップと、（ｈ）前記第２のサーバー装置が、前記個人特定情報を検索条件として前記個人医療情報データベースを検索することにより、前記個人特定情報に対応する個人医療情報を取得するステップと、（ｉ）前記第２のサーバー装置が、前記個人医療情報を前記第２の端末装置に送信するステップとをさらに包含し、そのことにより上記目的が達成される。
【００１１】
前記第１の端末装置は、前記第１の端末装置の現在の位置を示す位置情報を取得する機能を有しており、前記医療機関データベースには、各医療機関が診療可能な症状を示す情報に加えて各医療機関の位置を示す情報がさらに格納されており、前記ステップ（ａ）において、前記第１のサーバー装置が、前記症状情報に加えて前記位置情報を前記第１の端末装置から受信し、前記ステップ（ｂ）において、前記第１のサーバー装置が、前記症状情報と前記位置情報とを検索条件として前記医療機関データベースを検索することにより、前記検索条件を満たす少なくとも１つの医療機関に関する情報を取得してもよい。
【００１２】
前記第１の端末装置は、前記第１の端末装置の現在の位置を示す位置情報を取得する機能と、現在の時刻を示す時刻情報を取得する機能とを有しており、前記医療機関データベースには、各医療機関が診療可能な症状を示す情報に加えて各医療機関の位置を示す情報と各医療機関の診療時間を示す情報とがさらに格納されており、前記ステップ（ａ）において、前記第１のサーバー装置が、前記症状情報に加えて前記位置情報と前記時刻情報とを前記第１の端末装置から受信し、前記ステップ（ｂ）において、前記第１のサーバー装置が、前記症状情報と前記位置情報と前記時刻情報とを検索条件として前記医療機関データベースを検索することにより、前記検索条件を満たす少なくとも１つの医療機関に関する情報を取得してもよい。
【００１３】
前記個人医療情報は、電子カルテを含み、前記電子カルテは、前記ユーザが追記可能な領域を有していてもよい。
【００１４】
本発明のコンピュータシステムは、医療機関検索サービスを提供するコンピュータシステムであって、前記コンピュータシステムは、端末装置とネットワークを介して接続されたサーバー装置と、前記サーバー装置に接続され、各医療機関が診療可能な症状を示す情報を少なくとも格納した医療機関データベースとを備え、前記サーバー装置は、ユーザの症状を示す症状情報を前記端末装置から受信する手段と、前記症状情報を検索条件として前記医療機関データベースを検索することにより、前記検索条件を満たす少なくとも１つの医療機関に関する情報を取得する手段と、前記検索条件を満たす少なくとも１つの医療機関に関する情報を前記端末装置に送信する手段とを含み、そのことにより上記目的が達成される。
【００１５】
本発明の他のコンピュータシステムは、個人医療情報検索サービスを提供するコンピュータシステムであって、前記コンピュータシステムは、端末装置とネットワークを介して接続されたサーバー装置と、前記サーバー装置に接続された個人認証データベースと、前記サーバー装置に接続され、少なくとも１つの個人医療情報を格納した個人医療情報データベースとを備え、前記サーバー装置は、ユーザを識別するための個人識別情報を前記端末装置から受信する手段と、前記個人識別情報を検索条件として前記個人認証データベースを検索することにより、前記個人識別情報に対応する個人を特定する個人特定情報を取得する手段と、前記サーバー装置が、前記個人特定情報を検索条件として前記個人医療情報データベースを検索することにより、前記個人特定情報に対応する個人医療情報を取得する手段と、前記個人医療情報を前記端末装置に送信する手段とを含み、そのことにより上記目的が達成される。
【００１６】
前記個人医療情報は、電子カルテを含み、前記電子カルテは、前記ユーザが追記可能な領域を有していてもよい。
【００１７】
本発明の他のコンピュータシステムは、個人医療情報検索サービスを提供するコンピュータシステムであって、前記コンピュータシステムは、第１の端末装置および第２の端末装置とネットワークを介して接続された第１のサーバー装置および第２のサーバー装置と、前記第１のサーバー装置に接続され、各医療機関が診療可能な症状を示す情報を少なくとも格納した医療機関データベースと、前記第２のサーバー装置に接続された個人認証データベースと、前記第２のサーバー装置に接続され、少なくとも１つの個人医療情報を格納した個人医療情報データベースとを備え、前記第１のサーバー装置は、ユーザの症状を示す症状情報を前記第１の端末装置から受信する手段と、前記症状情報を検索条件として前記医療機関データベースを検索することにより、前記検索条件を満たす少なくとも１つの医療機関に関する情報を取得する手段と、前記検索条件を満たす少なくとも１つの医療機関に関する情報を前記第１の端末装置に送信する手段と、前記検索条件を満たす少なくとも１つの医療機関のうち前記ユーザによって選択された医療機関を特定する医療機関特定情報を前記第１の端末装置から受信するステップとを含み、前記第２の端末装置は、前記医療機関特定情報によって特定された医療機関に設置されており、前記第１のサーバー装置は、前記第２の端末装置から前記第２のサーバー装置へのアクセスを可能にするアクセス情報を前記第２の端末装置に送信する手段をさらに含み、前記第２のサーバー装置は、前記第２の端末装置が前記アクセス情報を用いて前記第２のサーバー装置にアクセスすることにより、前記ユーザを識別するための個人識別情報を前記第２の端末装置から受信する手段と、前記個人識別情報を検索条件として前記個人認証データベースを検索することにより、前記個人識別情報に対応する個人を特定する個人特定情報を取得する手段と、前記個人特定情報を検索条件として前記個人医療情報データベースを検索することにより、前記個人特定情報に対応する個人医療情報を取得する手段と、前記個人医療情報を前記第２の端末装置に送信する手段とを含み、そのことにより上記目的が達成される。
【００１８】
前記個人医療情報は、電子カルテを含み、前記電子カルテは、前記ユーザが追記可能な領域を有していてもよい。
【発明の効果】
【００１９】
本発明によれば、個人医療情報検索サービスを提供する方法およびその方法を実現するコンピュータシステムを提供することができる。また、本発明によれば、医療機関検索サービスを提供する方法およびその方法を実現するコンピュータシステムを提供することができる。
【発明を実施するための最良の形態】
【００２０】
以下、図面を参照しながら本発明の実施の形態を説明する。
【００２１】
図１は、個人医療情報検索サービスを提供するコンピュータシステム１の構成の一例を示す。
【００２２】
コンピュータシステム１は、サーバー装置１０（第１のサーバー装置）と、サーバー装置２０（第２のサーバー装置）とを含む。サーバー装置１０には、医療機関データベース１２が接続されている。サーバー装置２０には、個人認証データベース２２と個人医療情報データベース２４とが接続されている。
【００２３】
サーバー装置１０とサーバー装置２０とは、ネットワーク３０を介して端末装置４０（第１の端末装置）と複数の端末装置５０（第２の端末装置）とに接続されている。接続の形態は、無線であるか有線であるかを問わない。
【００２４】
ネットワーク３０は、任意のタイプのネットワークであり得る。しかし、接続の容易性やコストを考慮すると、ネットワーク３０は、インターネットであることが最も好ましい。
【００２５】
端末装置４０は、例えば、ユーザが所持している携帯電話である。携帯電話は、通常の電話機能に加えて、無線でネットワーク３０に接続し、ネットワーク３０を介してサーバー装置１０と通信するネットワーク通信部と、各種プログラムを実行するＣＰＵと、各種データおよび各種プログラムを格納するメモリと、各種プログラムの実行結果などを表示する表示部とを含む。
【００２６】
複数の端末装置５０のそれぞれは、例えば、医療機関に設置されているコンピュータである。このコンピュータは、ネットワーク３０を介してサーバー装置２０と通信するネットワーク通信部と、各種プログラムを実行するＣＰＵと、各種データおよび各種プログラムを格納するメモリと、各種プログラムの実行結果などを表示する表示部とを含む。
【００２７】
ネットワーク３０がインターネットである場合には、端末装置４０、５０は、Ｗｅｂブラウザであり得、サーバー装置１０は、医療機関検索サービスを提供するサービスプロバイダとして機能するＷｅｂサーバーであり得、サーバー装置２０は、個人医療情報検索サービスを提供するサービスプロバイダとして機能するＷｅｂサーバーであり得る。
【００２８】
図２Ａは、医療機関データベース１２に格納されている情報の構造の一例を示す。医療機関データベース１２には、医療機関に関する情報が格納されている。図２Ａに示される例では、医療機関Ａに関する情報と、医療機関Ｂに関する情報と、医療機関Ｃに関する情報とが少なくとも医療機関データベース１２に格納されている。ここで、「医療機関」とは、患者を診療することが可能な任意の機関（例えば、病院、医院、クリニックなど）をいう。
【００２９】
なお、日本全国もしくは世界のすべての医療機関に関する情報を医療機関データベース１２に格納しておく必要はない。例えば、医師もしくは患者の評価が高い「お奨め医療機関」のみを医療機関データベース１２に格納しておいてもよいし、特定の会（例えば、医療機関のネットワーク化推進協議会）の会員である医療機関のみを医療機関データベース１２に格納しておいてもよい。その会員は、有償会員であるか無償会員であるかを問わない。
【００３０】
医療機関に関する情報は、それぞれ、医療機関の名称を示す情報２０１と、医療機関の得意分野を示す情報２０２と、医療機関の位置を示す情報２０３と、医療機関の診療時間を示す情報２０４とを含む。例えば、医療機関Ａに関する情報は、その名称が「Ａ」であり、その得意分野が「頭が痛い」という症状に対する診療であり、その位置が「大阪市中央区×××」であり、その診療時間が「月曜〜金曜の９時〜１７時、土曜・日曜・祝日は休診」であることを示す。
【００３１】
図２Ａに示される例では、医療機関の得意分野は、「◎（非常に得意）」、「×（不得意）」などの記号で表現されている。しかし、医療機関の得意分野の表現方法はこれに限定されない。医療機関の得意分野は任意の方法で表現され得る。例えば、数値やアルファベットを用いて医療機関の得意分野を表現してもよい。なお、医療機関の得意分野を示す情報に加えて、もしくは、医療機関の得意分野を示す情報に代えて、医療機関が診療可能な分野を示す情報を医療機関に関する情報に含めるようにしてもよい。
【００３２】
図２Ａに示される例では、医療機関の位置は、医療機関の住所で表現されている。しかし、医療機関の位置の表現方法はこれに限定されない。医療機関の位置は任意の方法で表現され得る。例えば、（緯度、経度）や携帯電話の無線中継エリアを用いて医療機関の位置を表現してもよい。
【００３３】
図２Ａに示される例では、医療機関の診療時間は、曜日および時間帯で表現されている。しかし、医療機関の診療時間の表現方法はこれに限定されない。医療機関の診療時間は任意の方法で表現され得る。
【００３４】
図２Ｂは、個人認証データベース２２に格納されている情報の構造の一例を示す。個人認証データベース２２には、少なくとも１つの個人認証情報が格納されている。少なくとも１つの個人認証情報のそれぞれは、個人識別情報と、その個人識別情報に関連する個人特定情報とを含む。
【００３５】
図２Ｂに示される例では、個人識別情報は、掌紋データを示すバイナリデータで表現されている。しかし、個人識別情報の表現方法はこれに限定されない。個人識別情報は任意の方法で表現され得る。例えば、虹彩データ、血管データなどを用いて個人識別情報を表現するようにしてもよい。
【００３６】
図２Ｂに示される例では、個人特定情報は、（氏名、性別、生年月日）の組として表現されている。しかし、個人特定情報の表現方法はこれに限定されない。個人特定情報は任意の方法で表現され得る。例えば、社会保険番号などを用いて個人特定情報を表現するようにしてもよい。
【００３７】
サーバー装置２０は、個人識別情報を検索条件として個人認証データベース２２を検索することにより、その個人識別情報に関連する個人特定情報を取得する。このように、個人識別情報を手がかりにしてその個人を特定すること（すなわち、個人識別情報に関連する個人特定情報を取得すること）を「個人認証」という。
【００３８】
図２Ｃは、個人医療情報データベース２４に格納されている情報の構造の一例を示す。個人医療情報データベース２４には、少なくとも１つの個人医療情報（図２Ｃに示される例では、個人医療情報＃１、個人医療情報＃２、・・・）が格納されている。少なくとも１つの個人医療情報のそれぞれには、個人特定情報が関連づけられている。
【００３９】
個人医療情報には、例えば、電子カルテや、医療用画像データ（胸部Ｘ線データ、ＣＴデータ、ＭＲＩデータなど）が含まれる。これらの情報は、標準化されたフォーマットで個人医療情報データベース２４に格納されている。標準化されたフォーマットとしては任意のフォーマットが採用され得る。
【００４０】
例えば、電子カルテの標準化されたフォーマットとしてＭＭＬ規格に従うデータ形式を採用することができる。ＭＭＬ規格は、平成７年度からの厚生省委託事業：電子カルテ開発事業の１つの成果物である。ＭＭＬ規格は、診療規格の２号用紙形式に基づいて、患者ＩＤ情報、既往歴、病名、所見などを記述する部分や、記述のための形式を定めている。
【００４１】
電子カルテは、医師が書き込み可能な領域に加えて、ユーザ（患者）自身が追記可能な領域を有していることが好ましい。患者自身が電子カルテの内容を確認し、不足や誤りがあればその内容を患者が記録しておくことを可能にするためである。このようにすることにより、患者本人の確認の下に電子カルテの記載を完全なものにすることができる。医師が書き込み可能な領域に対する患者の書き込みは禁止される。医師の書き込みを患者が改変することを避けるためである。このような領域ごとに書き込みを許可したり禁止したりすることは、例えば、領域ごとに書き込み許可／禁止フラグを設けることによって容易に実現され得る。個人認証技術を用いて、その領域に書き込みをする人が医師であるか患者であるかを判定するようにすればよい。
【００４２】
例えば、医療用画像データの標準化されたフォーマットとしてＤＩＣＯＭ規格に従うデータ形式を採用することができる。ＤＩＣＯＭ規格は、ＣＴ、ＭＲＩなどの画像検査機器を中心として、画像データおよび検査関連データを他の機器との間で伝送するための規格である。
【００４３】
サーバー装置２０は、個人特定情報を検索条件として個人医療情報データベース２４を検索することにより、その個人特定情報に関連する個人医療情報を取得する。このように、個人特定情報を手がかりにして個人医療情報を取得することを「個人医療情報検索」という。
【００４４】
なお、医療機関データベース１２、個人認証データベース２２および個人医療情報データベース２４は、いずれも、単一のデータベースで構成されている必要はない。これらのデータベースは、いずれも、複数のデータベースを統合したものであってもよい。
【００４５】
図３Ａは、端末装置４０の表示部（例えば、携帯電話の液晶ディスプレイ）に表示される画面３００の一例を示す。画面３００は、例えば、端末装置４０（Ｗｅｂブラウザ）がサーバー装置１０（Ｗｅｂサーバー）によって提供されるＷｅｂページにアクセスすることによって表示される。
【００４６】
画面３００は、ユーザが自分の症状を示す症状情報を端末装置４０に入力可能なように構成されている。例えば、ユーザは、「頭が痛い」という症状に対応するトグルボタン３０２を選択し、「決定」ボタン３０４を押下することにより、「頭が痛い」という症状を示す症状情報を端末装置４０に入力することができる。ただし、ユーザが自分の症状を示す症状情報を端末装置４０に入力する方法は図３Ａに示される例に限定されない。ユーザは任意の方法を用いて症状情報を端末装置４０に入力することができる。例えば、ユーザは、問診に答える形式で自分の症状をに端末装置４０に入力してもよいし、フリーテキスト形式で自分の症状をに端末装置４０に入力してもよい。端末装置４０は、入力された症状情報をネットワーク３０を介してサーバー装置１０に送信する。
【００４７】
サーバー装置１０は、症状情報を端末装置４０から受信し、受信した症状情報を検索条件として医療機関データベース１２を検索することにより、その検索条件を満たす少なくとも１つの医療機関に関する情報を取得する。サーバー装置１０は、その検索条件を満たす少なくとも１つの医療機関に関する情報をネットワーク３０を介して端末装置４０に送信する。
【００４８】
図３Ｂは、端末装置４０の表示部（例えば、携帯電話の液晶ディスプレイ）に表示される画面３１０の一例を示す。画面３１０は、例えば、医療機関データベース１２を検索した結果、「頭が痛い」という症状を診療可能な医療機関として医療機関Ａが１件のみヒットした場合の例を示す。画面３１０には、医療機関Ａのプロフィール（医療機関Ａの住所、電話番号、診療時間、医療機関Ａへの交通アクセスなど）が表示される。
【００４９】
画面３１０は、ユーザが医療機関Ａの診療を受けることを希望するか否かを示す情報を端末装置４０に入力可能なように構成されている。例えば、ユーザは、「医療機関Ａの診療を受けますか？」という質問に対して「はい」に対応するトグルボタン３１２を選択し、「決定」ボタン３１４を押下することにより、「医療機関Ａの診療を受ける」というユーザの決定を端末装置４０に入力することができる。端末装置４０は、入力されたユーザの決定をネットワーク３０を介してサーバー装置１０に送信する。
【００５０】
サーバー装置１０は、ユーザによって選択された医療機関Ａに設置されている端末装置５０からサーバー装置２０へのアクセスを可能にするアクセス情報を医療機関Ａに設置されている端末装置５０に送信する。端末装置５０がＷｅｂブラウザであり、サーバー装置２０がＷｅｂサーバーである場合には、医療機関Ａに設置されている端末装置５０からサーバー装置２０へのアクセスを可能にするアクセス情報は、例えば、サーバー装置２０のＵＲＬアドレスである。あるいは、そのアクセス情報は、医療機関Ａに設置されている端末装置５０からサーバー装置２０へのアクセスを許可する任意の情報であってもよい。
【００５１】
端末装置５０は、そのアクセス情報を用いることにより、サーバー装置２０にアクセスすることが可能になる。
【００５２】
なお、端末装置４０が端末装置４０の現在の位置を示す位置情報を取得する機能（例えば、ＧＰＳ機能、もしくは、端末装置４０が位置する無線中継エリアを特定する機能）を有している場合には、サーバー装置１０が、症状情報に加えて位置情報を端末装置４０から受信し、受信した症状情報と位置情報とを検索条件として医療機関データベース１２を検索することにより、その検索条件を満たす少なくとも１つの医療機関に関する情報を取得するようにしてもよい。これにより、ユーザの症状を診療可能な医療機関のうち、ユーザの現在地から最寄りの医療機関を特定することが可能になる。このような医療機関の特定のしかたは、例えば、旅先や出張先など地理に不案内な場所でユーザが医療機関の診療を受けたいと思い至った場合に特に好適である。ユーザは、自分の症状の診療を得意分野とする医療機関がどこにあるのかについての知識を持ち合わせていないのが通常だからである。この場合、図３Ｂに示される画面３１０にユーザの現在地から医療機関Ａまでの道順を表示するようにしてもよいし、端末装置４０がナビゲーション機能をさらに有している場合には、ユーザがその道順に沿って移動できるようにユーザをナビゲートするようにしてもよい。
【００５３】
また、端末装置４０が端末装置４０の現在の位置を示す位置情報を取得する機能と現在の時刻を示す時刻情報を取得する機能（例えば、端末装置４０の表示部に時刻を表示する機能）とを有している場合には、サーバー装置１０が、症状情報に加えて位置情報と時刻情報とを端末装置４０から受信し、受信した症状情報と位置情報と時刻情報とを検索条件として医療機関データベース１２を検索することにより、その検索条件を満たす少なくとも１つの医療機関に関する情報を取得するようにしてもよい。これにより、ユーザの症状を診療可能な医療機関のうち、ユーザの現在地から最寄りの医療機関であり、かつ、現在の時刻が診療時間内である医療機関を特定することが可能になる。このような医療機関の特定のしかたは、例えば、旅先や出張先など地理に不案内な場所でユーザが医療機関の診療を受けたいと思い至った場合に特に好適である。ユーザは、自分の症状の診療を得意分野とする医療機関がどこにあるのか、現在時刻は診療可能な時間であるか否かについての知識を持ち合わせていないのが通常だからである。
【００５４】
図４は、端末装置５０の表示部（例えば、医療機関Ａに設置されているコンピュータのＣＲＴディスプレイ）に表示される画面４００の一例を示す。画面４００は、例えば、端末装置５０（Ｗｅｂブラウザ）がサーバー装置２０（Ｗｅｂサーバー）によって提供されるＷｅｂページにアクセスすることによって表示される。
【００５５】
画面４００は、ユーザが自分を識別するための個人識別情報を端末装置５０に入力可能なように構成されている。例えば、ユーザが端末装置５０に接続されている掌紋認識センサ５２に手のひらを接触させた状態で、ユーザが「掌紋データ」に対応するトグルボタン４０２を選択し、「決定」ボタン４０４を押下することにより、ユーザの「掌紋データ」を端末装置５０に入力することができる。掌紋認識センサ５２および端末装置５０に内蔵する掌紋認識用のソフトウェアとしては、市販されている任意のタイプのものを使用することができる。ユーザが「送信」ボタン４０６を押下することにより、端末装置５０は、入力された「掌紋データ」を個人識別情報としてネットワーク３０を介してサーバー装置２０に送信する。
【００５６】
サーバー装置２０は、「掌紋データ」を端末装置５０から受信し、受信した「掌紋データ」を検索条件として個人認証データベース２２を検索することにより、その「掌紋データ」に対応する個人特定情報（例えば、その「掌紋データ」を持つ人物の（氏名、性別、生年月日）の組）を取得する。サーバー装置２０は、その個人特定情報を検索条件として個人医療情報データベース２４を検索することにより、その個人特定情報に対応する個人医療情報を取得する。サーバー装置２０は、取得された個人医療情報をネットワーク３０を介して端末装置５０に送信する。
【００５７】
なお、サーバー装置２０が個人特定情報の取得に失敗した場合（例えば、個人識別情報に対応する個人特定情報が個人認証データベース２２に格納されていない場合）には、サーバー装置２０は、その旨の通知を端末装置５０に送信する。また、サーバー装置２０が個人医療情報の取得に失敗した場合（例えば、個人特定情報に対応する個人医療情報が個人医療情報データベース２４に格納されていない場合）には、サーバー装置２０は、その旨の通知を端末装置５０に送信する。
【００５８】
なお、端末装置５０に入力する個人識別情報として「虹彩データ」、「指紋データ」を用いてもよい。この場合には、そのデータを端末装置５０に入力することを可能にする公知のセンサおよびソフトウェアを用意すればよい。
【００５９】
このように、医療機関Ａの診療を希望したユーザ（患者）の電子カルテや医療用画像データなどの個人医療情報を医療機関Ａに設置された端末装置５０にダウンロードすることにより、医療機関Ａの医師は、電子カルテや医療用画像データの内容を考慮してその患者を診療することができる。例えば、ある薬剤の投与によって患者に副作用が生じたことが電子カルテに記載されている場合には、医療機関Ａの医師は、その薬剤の代わりに別の薬剤をその患者に投与することにより、その患者に副作用が生じることを避けることができる。あるいは、患者のアレルギー症が電子カルテに記載されている場合には、医療機関Ａの医師は、そのアレルギーを発症させる原因となる薬剤の使用を避けることができる。このように、電子カルテや医療用画像データなどの個人医療情報を多くの医療機関で共有できることのメリットは計り知れない。
【００６０】
一方、個人医療情報は、プライバシー保護レベルが非常に高い個人情報であるため、権限のない第３者に個人医療情報へのアクセスを許可することはできない。そこで、本発明では、個人認証が成功した場合に限り、個人医療情報へのアクセスを許可することにより、個人情報の保護を図っている。このように、本発明は、個人医療情報を多くの医療機関が共有することを可能にしつつ、個人情報の保護を図ることを可能にするコンピュータシステムを提供する。
【００６１】
図５は、端末装置４０、サーバー装置１０、端末装置５０およびサーバー装置２０の処理の手順の一例を示す。これらの装置は、互いに協働して個人医療情報検索サービスを提供するための処理を実行する。以下、その手順の各ステップを説明する。
【００６２】
端末装置４０は、ユーザからの入力に基づいてユーザの症状を示す症状情報を生成し（ステップＳ５０１）、その症状情報（もしくは、その症状情報を含む情報）をネットワーク３０を介してサーバー装置１０に送信する（ステップＳ５０２）。
【００６３】
サーバー装置１０は、端末装置４０から送信された情報を受信し（ステップＳ５０３）、その受信した情報を検索条件として医療機関データベース１２を検索する（ステップＳ５０４）。サーバー装置１０は、その検索条件を満たす少なくとも１つの医療機関に関する情報を医療機関データベース１２から取得し（ステップＳ５０５）、その少なくとも１つの医療機関に関する情報をネットワーク３０を介して端末装置４０に送信する（ステップＳ５０６）。
【００６４】
端末装置４０は、サーバー装置１０から送信された少なくとも１つの医療機関に関する情報を受信し（ステップＳ５０７）、その少なくとも１つの医療機関に関する情報を端末装置４０の表示部に表示する（ステップＳ５０８）。ユーザは、端末装置４０の表示部に表示された少なくとも１つの医療機関に関する情報に基づいて、そのユーザが診療を希望する医療機関（例えば、医療機関Ａ）を選択する。端末装置４０は、ユーザによって選択された医療機関を特定する医療機関特定情報（例えば、医療機関Ａを特定する情報）をネットワーク３０を介してサーバー装置１０に送信する（ステップＳ５０９）。
【００６５】
サーバー装置１０は、端末装置４０から送信された医療機関特定情報（例えば、医療機関Ａを特定する情報）を受信し（ステップＳ５１０）、その受信した医療機関特定情報によって特定された医療機関（例えば、医療機関Ａ）に設置されている端末装置５０に、その端末装置５０からサーバー装置２０へのアクセスを可能にするアクセス情報をネットワーク３０を介して送信する（ステップＳ５１１）。
【００６６】
端末装置５０は、ユーザからの入力に基づいてユーザを識別するための個人識別情報（例えば、掌紋データ）を生成し（ステップＳ５１２）、その個人識別情報をネットワーク３０を介してサーバー装置２０に送信する（ステップＳ５１３）。端末装置５０は、サーバー装置２０にアクセスするためにアクセス情報を使用する。
【００６７】
サーバー装置２０は、端末装置５０から送信された個人識別情報を受信し（ステップＳ５１４）、その受信した個人識別情報を検索条件として個人認証データベース２２を検索し（ステップＳ５１５）、個人認証データベース２２の中に検索条件の個人識別情報に対応する個人を特定する情報（個人特定情報）が存在するか否かを判定する（ステップＳ５１６）。
【００６８】
ステップＳ５１６における判定結果が「Ｙｅｓ」である場合には、サーバー装置２０は、検索条件の個人識別情報に対応する個人特定情報を個人認証データベース２２から取得し（ステップＳ５１７）、処理はステップＳ５１８に進む。
【００６９】
サーバー装置２０は、個人認証データベース２２から取得した個人特定情報を検索条件として個人医療情報データベース２４を検索し（ステップＳ５１８）、個人医療情報データベース２４の中に検索条件の個人特定情報に対応する個人医療情報が存在するか否かを判定する（ステップＳ５１９）。
【００７０】
ステップＳ５１９における判定結果が「Ｙｅｓ」である場合には、サーバー装置２０は、検索条件の個人特定情報に対応する個人医療情報を個人医療情報データベース２４から取得し（ステップＳ５２０）、その個人医療情報をネットワーク３０を介して端末装置５０に送信する（ステップＳ５２１）。
【００７１】
なお、ステップＳ５１６における判定結果が「Ｎｏ」である場合には、サーバー装置２０は、「該当する個人がデータベースに登録されていない」旨の通知をネットワーク３０を介して端末装置５０に送信する（ステップＳ５２２）。ステップ５１９における判定結果が「Ｎｏ」である場合には、サーバー装置２０は、「該当する個人に対応する個人医療情報がデータベースに登録されていない」旨の通知をネットワーク３０を介して端末装置５０に送信する（ステップＳ５２３）。
【００７２】
このようにして、個人医療情報検索サービスを提供するコンピュータシステム１が実現される。
【００７３】
なお、図５に示されるステップＳ５０１〜ステップＳ５２３の処理のうち、端末装置４０がステップＳ５０１、Ｓ５０２、Ｓ５０７、Ｓ５０８の処理を実行し、サーバー装置１０がステップＳ５０３〜Ｓ５０６の処理を実行することにより、医療機関検索サービスを提供するコンピュータシステム１が実現される。このような医療機関検索サービスを提供する方法およびコンピュータシステムもまた本発明の範囲内である。
【００７４】
また、図５を参照して、医療機関の検索結果に基づいて個人医療情報の検索を実行する処理を説明したが、個人医療情報の検索を実行する処理はこれに限定されない。例えば、医療機関の検索結果とは無関係に、個人医療情報の検索を実行するようにしてもよい。
【００７５】
例えば、患者が意識不明の重体で救急車で病院に搬送されている場合を想定する。この場合でも、例えば、患者が、搬送先の病院に設置されている端末装置５０からサーバー装置２０へのアクセスを可能にするアクセス情報（例えば、サーバー装置２０のＵＲＬアドレス）を記載したカードを所持していれば、搬送先の病院の医師または職員が端末装置５０を操作してサーバー装置２０にアクセスすることにより、その患者の個人医療情報を端末装置５０にダウンロードすることが可能である。そのカードには、例えば、「私は自分の個人医療情報をデータベースに登録しています。私の意識がない場合には私の許可なしで私の個人医療情報をダウンロードすることを許可します。下記のアドレスにアクセスして下さい。ｈｔｔｐ：／／〜」と記載されていてもよい。
【００７６】
あるいは、患者がネットワーク３０に接続可能な端末装置４０を所持していない場合を想定する。この場合でも、患者が上述したカードを所持しているか、患者が自分の個人医療情報のダウンロードを許可することにより、その患者の個人医療情報を端末装置５０にダウンロードすることが可能である。
【００７７】
このように、図５に示されるステップＳ５０１〜ステップＳ５２３の処理のうち、端末装置５０がステップＳ５１２、Ｓ５１３の処理を実行し、サーバー装置２０がステップＳ５１４〜ステップＳ５２３の処理を実行することによっても、個人医療情報検索サービスを提供するコンピュータシステム１が実現される。このような個人医療情報検索サービスを提供する方法およびコンピュータシステムもまた本発明の範囲内である。
【産業上の利用可能性】
【００７８】
本発明は、個人医療情報検索サービスを提供する方法およびその方法を実現するコンピュータシステム等として有用である。また、本発明は、医療機関検索サービスを提供する方法およびその方法を実現するコンピュータシステム等として有用である。
【図面の簡単な説明】
【００７９】
【図１】個人医療情報検索サービスを提供するコンピュータシステム１の構成の一例を示す図
【図２Ａ】医療機関データベース１２に格納されている情報の構造の一例を示す図
【図２Ｂ】個人認証データベース２２に格納されている情報の構造の一例を示す図
【図２Ｃ】個人医療情報データベース２４に格納されている情報の構造の一例を示す図
【図３Ａ】端末装置４０の表示部に表示される画面３００の一例を示す図
【図３Ｂ】端末装置４０の表示部に表示される画面３１０の一例を示す図
【図４】端末装置５０の表示部に表示される画面４００の一例を示す図
【図５】端末装置４０、サーバー装置１０、端末装置５０およびサーバー装置２０の処理の手順の一例を示す図
【符号の説明】
【００８０】
１０  サーバー装置
１２  医療機関データベース
２０  サーバー装置
２２  個人認証データベース
２４  個人医療情報データベース
３０  ネットワーク
４０  端末装置
５０  端末装置
【図１】
2005092650.tif 000003
【図２Ａ】
2005092650.tif 000004
【図２Ｂ】
2005092650.tif 000005
【図２Ｃ】
2005092650.tif 000006
【図３Ａ】
2005092650.tif 000007
【図３Ｂ】
2005092650.tif 000008
【図４】
2005092650.tif 000009
【図５】
2005092650.tif 000010